(57)【特許請求の範囲】
【請求項１】
基部に固定され、且つ第１の内部空間及び該第１の内部空間を露出させる開口を有する第１の回転部材と、
前記第１の回転部材に枢軸連結され且つ電子装置に固定され、前記第１の回転部材との間に第２の内部空間及び該第２の内部空間を露出させる間隙を形成し、前記第２の内部空間が前記開口を介して前記第１の内部空間を連通させる第２の回転部材と、
前記第１の回転部材に固定されて前記開口の少なくとも一部を取り囲むことで、液体が前記開口を介して前記第１の内部空間に流入することを阻止する第１の防水機構と、
前記第２の回転部材に固定されて前記間隙を遮蔽することで、液体が前記間隙を介して前記第２の内部空間に流入することを阻止する第２の防水機構とを含むことを特徴とする枢軸回転装置。
【請求項２】
前記第１の回転部材及び前記第１の防水機構はプラスチック材料であり、且つ前記第１回転部材と前記第１の防水機構は一体成形されてなることを特徴とする請求項１に記載の枢軸回転装置。
【請求項３】
前記第２の回転部材及び前記第２の防水機構はプラスチック材料であり、且つ前記第２回転部材と前記第２の防水機構は一体成形されてなることを特徴とする請求項１に記載の枢軸回転装置。
【請求項４】
前記第２の回転部材はプラスチック材料であり、前記第２の防水機構はゴム材料であることを特徴とする請求項１に記載の枢軸回転装置。
【請求項５】
前記第２の回転部材及び前記第２の防水機構は共射出成形プロセスにより一体成形されることを特徴とする請求項４に記載の枢軸回転装置。
【請求項６】
前記第１の回転部材は円弧面を有し、
前記間隙は、前記円弧面と前記第２の回転部材との間に形成され、
前記第２の防水機構は、前記第１の回転部材と前記第２の回転部材との相対的な回転に伴って前記円弧面上を滑動することを特徴とする請求項１に記載の枢軸回転装置。
【請求項７】
前記第１の回転部材は円弧面を有し、
該円弧面及び前記第１の防水機構は、前記液体を前記開口から離れるように導くことを特徴とする請求項１に記載の枢軸回転装置。
【請求項８】
前記第１の防水機構はリブ部を含むことを特徴とする請求項１に記載の枢軸回転装置。
【請求項９】
前記第２の防水機構はリブ部を含むことを特徴とする請求項１に記載の枢軸回転装置。
【請求項１０】
前記枢軸回転装置内には、前記開口を介して前記電子装置と前記基部を接続する導線が設けられることを特徴とする請求項１に記載の枢軸回転装置。
【請求項１１】
前記第１の回転部材は、
前記第２の回転部材に枢軸連結され、且つ前記基部に固定される本体と、
前記第１の内部空間及び前記開口を形成し、前記本体が前記第１の内部空間内に位置するハウジングとを含むことを特徴とする請求項１に記載の枢軸回転装置。
【請求項１２】
前記本体は、
前記基部に固定される固定部と、
第１の軸線に沿って前記固定部に枢軸連結される回転盤と、
前記回転盤に固定され、且つ前記第１の軸線に垂直な第２の軸線に沿って前記第２の回転部材に枢軸連結される枢軸連結部とを含むことを特徴とする請求項１１に記載の枢軸回転装置。
【請求項１３】
前記第２の回転部材は、
前記第１の回転部材に枢軸連結され、且つ前記電子装置に固定される枢軸連結部と、
前記第１の回転部材との間に前記第２の内部空間及び前記間隙が形成され、前記枢軸連結部の少なくとも一部が前記第２の内部空間内に位置するハウジングとを含むことを特徴とする請求項１に記載の枢軸回転装置。
【請求項１４】
前記第２の回転部材は、前記ハウジングに固定され、且つ前記電子装置の一部を遮蔽する遮板をさらに含むことを特徴とする請求項１３に記載の枢軸回転装置。
【請求項１５】
前記電子装置はディスプレイであることを特徴とする請求項１に記載の枢軸回転装置。
【発明の詳細な説明】
【技術分野】
【０００１】
本発明は、枢軸回転装置に係り、特に電子装置に適用する枢軸回転装置に関する。
【背景技術】
【０００２】
ＩＴ技術の絶え間ない進歩に伴い、各種の電子製品、例えばパーソナルディジタルアシスタント（PDA：Personal  Digital  Assistant）、タブレットパソコン（Tablet  PC）、デジタルカメラ、全地球測位システム（GPS：Global  Positioning  System）装置、及び電子製品に適用されるディスプレイ等が開発された。上述の電子装置は使用上の必要に応じて枢軸回転装置に連結されてもよい。例えば、ユーザの観賞及び操作が便利なように、ＧＰＳ装置又はＰＤＡを車内の枢軸回転装置に掛けて搭載してもよい。また、使用が便利なように、タブレットパソコン、デジタルカメラ、又はディスプレイ等の物品を枢軸回転装置に掛けて搭載してもよい。
【０００３】
例えば、枢軸回転装置に連結されたディスプレイは、枢軸回転装置が回転することにより、ユーザが表示画面を観賞するのに都合のよい角度に調整される、或いは異なる位置にいるユーザに表示画面を観賞させる。しかしながら、枢軸回転装置は通常複数の部材からなるので、外部の液体は部材と部材との間の間隙又は開口を介して枢軸回転装置の内部に入ることがあり、構造全体の防水性が良くない問題がある。
【０００４】
例えば、密封材による防水機能を有するテレビ用の支えが開示されている（特許文献１参照）。また、弾性材料により防水及び防振の効果を収めるタブレットパソコンの防水・防振装置が開示されている（特許文献２参照）。また、ケースとの密封連結により防水効果を収めるケース用の防水台座が開示されている（特許文献３参照）。さらにまた、弾性変形特性を利用することでキー構造が停止又は作動する時は何れも防水機能を有する防水キー構造が開示されている（特許文献４参照）。
【先行技術文献】
【特許文献】
【０００５】
【特許文献１】中国実用新案公告第２０１１８８６６２Ｙ号明細書
【特許文献２】台湾実用新案公告第Ｍ３８８０２５号明細書
【特許文献３】中国実用新案公告第２０１６０８８０５Ｕ号明細書
【特許文献４】台湾実用新案公告第Ｍ４０７４７４号明細書
【発明の概要】
【発明が解決しようとする課題】
【０００６】
本発明は、良い防水効果を有する枢軸回転装置を提供することを目的とする。
【０００７】
また、本発明のその他の目的及びメリットは、本発明に開示されている手段から更に分かる。
【課題を解決するための手段】
【０００８】
上記目的の一部若しくは全部、又はその他の目的を達成するために、本発明の一の態様は、基部に固定され、且つ第１の内部空間及び該第１の内部空間を露出させる開口を有する第１の回転部材と、前記第１の回転部材に枢軸連結され且つ電子装置に固定され、前記第１の回転部材との間に第２の内部空間及び該第２の内部空間を露出させる間隙を形成し、前記第２の内部空間が前記開口を介して前記第１の内部空間を連通させる第２の回転部材と、前記第１の回転部材に固定されて前記開口の少なくとも一部を取り囲むことで、液体が前記開口を介して前記第１の内部空間に流入することを阻止する第１の防水機構と、前記第２の回転部材に固定されて前記間隙を遮蔽することで、液体が前記間隙を介して前記第２の内部空間に流入することを阻止する第２の防水機構とを含むことを特徴とする枢軸回転装置を提供する。
【発明の効果】
【０００９】
本発明によれば、第１の回転部材に固定される第１の防水機構が開口の少なくとも一部を取り囲むことにより、液体が開口を介して第１の内部空間に入る確率が低減され、第２の回転部材に固定される第２の防水機構が間隙を遮蔽することによって、液体が間隙を介して第２の内部空間に入る確率が低減される。このため、枢軸回転装置が外部から水をふっかけられた時に、第２の防水構造及び第１の防水構造で順次隔てられることで、防水機能が有効になり、枢軸回転装置、電子装置及び基部内の内部部品と液体との接触が回避され、正常の動作に影響は与えないことになる。
【図面の簡単な説明】
【００１０】
【図１】本発明の実施例に係る枢軸回転装置の斜視図である。
【図２】図１の枢軸回転装置が電子装置に適用されることを示す側面図である。
【図３】図２の枢軸回転装置の作動の模式図である。
【図４】図１の枢軸回転装置の断面図である。
【図５】図１の枢軸回転装置の部分拡大図である。
【図６】図１の第１の回転部材の一部部材の斜視図である。
【図７】図１の枢軸回転装置の分解斜視図である。
【発明を実施するための形態】
【００１１】
次に本発明を実施するための形態を図面に基づいて説明する。
【００１２】
上述した本発明に係る技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本発明は方向の用語に示されるものに限定されない。
【００１３】
図１は、本発明の実施例に係る枢軸回転装置の斜視図であり、図２は、図１の枢軸回転装置が電子装置に適用されることを示す側面の模式図であり、図３は、図２の枢軸回転装置の作動の模式図である。
【００１４】
図１乃至図３に示すように、本実施例に係る枢軸回転装置１００は、第１の回転部材１１０及び第２の回転部材１２０を含む。第１の回転部材１１０は基部５０に固定され、第２の回転部材１２０は第１の回転部材１１０に枢軸連結され且つ電子装置６０に固定されている。第１の回転部材１１０と第２の回転部材１２０とは相対的に回転することで、電子装置６０が図２に示す状態から図３に示す状態又は他の適切な角度に傾斜し、ユーザが電子装置６０に表示される情報を観賞（視認）することになる。
【００１５】
図４は、図１の枢軸回転装置の断面図であり、図５は、図１の枢軸回転装置の部分拡大図であり、図６は、図１の第１の回転部材の一部部材の斜視図である。図４乃至図６に示すように、本実施例に係る第１の回転部材１１０は第１の内部空間１１０ａ及び開口１１０ｂを有し、開口１１０ｂは第１の内部空間１１０ａを露出させる。第１の回転部材１１０と第２の回転部材１２０との間に第２の内部空間１２０ａ及び間隙１２０ｂが形成され、間隙１２０ｂは第２の内部空間１２０ａを露出させ、第２の内部空間１２０ａは開口１１０ｂを介して第１の内部空間１１０ａを連通させる。枢軸回転装置１００は第１の防水機構１３０及び第２の防水機構１４０を含む。第１の防水機構１３０は、第１の回転部材１１０に固定されて開口１１０ｂの少なくとも一部を取り囲むことで、液体が開口１１０ｂを介して第１の内部空間１１０ａに流入することを阻止する。第２の防水機構１４０は、第２の回転部材１２０に固定されて間隙１２０ｂを遮蔽することで、液体が間隙１２０ｂを介して第２の内部空間１２０ａに流入することを阻止する。
【００１６】
上述の配置方法によれば、第１の回転部材１１０に固定される第１の防水機構１３０が開口１１０ｂの少なくとも一部を取り囲むことで、液体が開口１１０ｂを介して第１の内部空間１１０ａに入る確率が低減され、第２の回転部材１２０に固定される第２の防水機構１４０が間隙１２０ｂを遮蔽することで、液体が間隙１２０ｂを介して第２の内部空間１２０ａに入る確率が低減される。このため、枢軸回転装置１００が外部から水をふっかけられた時に、第２の防水構造１４０によって一次の防水が行われ、一部の液体が不注意によって第２の内部空間１２０ａに入った時に、第１の防水構造１３０によって二次の防水が行われる、即ち、液体が第２の防水構造１４０及び第１の防水構造１３０で順次隔てられることで、防水機能が有効になり、枢軸回転装置１００、電子装置６０及び基部５０内の内部部品と液体との接触が回避され、正常の動作に影響は与えないことになる。
【００１７】
本実施例では、電子装置６０はディスプレイであるが、本発明はここに例示されるものに限定されず、他の実施例では他の適切な種類の電子装置であってもよい。また、本実施例に係る第１の回転部材１１０及び第１の防水機構１３０はプラスチック材料であり、且つ第１回転部材１１０と第１の防水機構１３０は一体成形されてなり、第２の回転部材１２０及び第２の防水機構１４０はプラスチック材料であり、且つ第２回転部材１２０と第２の防水機構１４０は一体成形されてなる。ただ、本発明はここに例示されるものに限定されず、他の実施例では第１の回転部材１１０、第２の回転部材１２０、第１の防水機構１３０及び第２の防水構造１４０は他の適切な材料であってもよい。例えば、第２の防水機構１４０は、弾性変形の特性を利用することで間隙１２０ｂを確実に密封するゴム材料であってもよい。プラスチック材料の第２の回転部材１２０及びゴム材料の第２の防水機構１４０は、共射出成形プロセスにより一体成形されてもよい。
【００１８】
図５及び図６に示すように、本実施例に係る第１の防水機構１３０及び第２の防水機構１４０は共にリブ部である。第１の回転部材１１０は円弧面１１０ｃを有し、間隙１２０ｂは円弧面１１０ｃと第２の回転部材１２０との間に形成され。第２の防水機構１４０は、第１の回転部材１１０と第２の回転部材１２０との相対的な回転に伴って円弧面１１０ｃ上を滑動することで、第１の回転部材１１０と第２の回転部材１２０との間の間隙１２０ｂが第２の防水機構１４０により遮蔽される状態に維持される、即ち、第２の防水構造１４０と円弧面１１０ｃとが緊密に結合して、枢軸回転装置１００が随時防水の状態にある。
【００１９】
本実施例では、第１の回転部材１１０の円弧面１１０ｃ及び第１の防水機構１３０は、液体を開口１１０ｂから離れるように導く機能を有している。第１の回転部材１１０の円弧面１１０ｃによって液体が平らで滑らかな円弧面１１０ｃに沿って下方へ流れる。第１の防水機構１３０が円弧面１１０ｃよりも高いリブであるため、液体は第１の防水機構１３０まで流れる時に、開口１１０ｂへ流れることなく、リブ構造に沿って下方へ流れる。これによって、一部の液体が不注意によって外部から第２の内部空間１２０ａ内に流入しても、当該液体は開口１１０ｂへ流れることなく、円弧面１１０ｃ及び第１の防水構造１３０により図６に示す方向Ｄに沿って他所へ導かれる。
【００２０】
本実施例では、図２及び図３に示す基部５０と電子装置６０とは、図４に示す導線７０によって電気的に接続されている。導線７０は、枢軸回転装置１００内に設置され、開口１１０ｂを介して基部５０から電子装置６０に接続される。枢軸回転装置１００が導線７０を遮蔽する、即ち導線７０が枢軸回転装置１００内に隠されることで、構造全体はよりよい外観を有することができ、導線７０が外部に露出して傷つけやすいことを回避することができる。
【００２１】
図７は、図１の枢軸回転装置の分解斜視図である。図１、図５及び図７に示すように、本実施例に係る第１の回転部材１１０は、本体１１２及びハウジング１１４を含む。本体１１２は、第２の回転部材１２０に枢軸連結され、且つ図２及び図３に示す基部５０に固定される。ハウジング１１４は、第１の内部空間１１０ａ及び開口１１０ｂを形成し、本体１１２は第１の内部空間１１０ａ内に位置する。第２の回転部材１２０は、枢軸連結部１２２及びハウジング１２４を含む。枢軸連結部１２２は、第１の回転部材１１０に枢軸連結され、且つ図２及び図３に示す電子装置６０に固定される。第２の内部空間１２０ａ及び間隙１２ｂはハウジング１２４と第１の回転部材１１０との間に形成され、枢軸連結部１２２の少なくとも一部は第２の内部空間１２０ａ内に位置する。
【００２２】
より具体的には、本体１１２は、固定部１１２ａ、回転盤１１２ｂ及び枢軸連結部１１２ｃを含む。固定部１１２ａは図２及び図３に示す基部５０に固定され、回転盤１１２ｂは軸線Ａ１に沿って固定部１１２ａに枢軸連結され、枢軸連結部１１２ｃは回転盤１１２ｂに固定され、且つ軸線Ａ１に垂直な軸線Ａ２に沿って第２の回転部材１２０に枢軸連結される。これによって、電子装置６０は、第１の回転部材１１０と第２の回転部材１２０とが軸線Ａ２に沿って相対的に回転することで傾角を調整できることほかに、固定部１１２ａと回転盤１１２ｂとが軸線Ａ１に沿って相対的に回転することで、異なる位置にいるユーザが電子装置６０に表示される情報を観賞（視認）するように転向することができる。本実施例では、ハウジング１１４は例えば三つのケースを組み立てからなるものであるが、本発明はここに例示されるものに限定されず、他の実施例では、ハウジング１１４は他の適切な数のケースからなるものであってもよい。
【００２３】
本実施例に係る第２の回転部材１２０は遮板１２６を含む。遮板１２６はハウジング１２４に固定され、且つ電子装置６０の一部を遮蔽することで、液体が電子装置６０の内部まで流れることを回避する機能を有し、構造全体の防水効果をさらに向上できる。
【００２４】
以上のことから、本発明の上述の実施例によれば、第１の回転部材に固定される第１の防水機構が開口の少なくとも一部を取り囲むことにより、液体が開口を介して第１の内部空間に入る確率が低減され、第２の回転部材に固定される第２の防水機構が間隙を遮蔽することによって、液体が間隙を介して第２の内部空間に入る確率が低減される。このため、枢軸回転装置が外部から水をふっかけられた時に、第２の防水構造及び第１の防水構造で順次隔てられることで、防水機能が有効になり、枢軸回転装置、電子装置及び基部内の内部部品と液体との接触が回避され、正常の動作に影響は与えないことになる。
【００２５】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。また、本発明の実施例又は特許請求の範囲は何れも本発明により開示された目的又は利点又は特徴の全てを必ずしも実現する必要はない。さらにまた、本明細書及び特許請求の範囲に言及される「第１の」、「第２の」等の用語は、単なる構成要素（element）を命名する、或いは異なる実施例又は範囲を区別するものであり、構成要素の数の上限又は下限を限定するものではない。
【産業上の利用可能性】
【００２６】
本発明は、枢軸回転装置、特に電子装置に適用する枢軸回転装置に利用可能である。
【符号の説明】
【００２７】
５０      基部
６０      電子装置
７０      導線
１００    枢軸回転装置
１１０    第１の回転部材
１１０ａ  第１の内部空間
１１０ｂ  開口
１１０ｃ  円弧面
１１２    本体
１１２ａ  固定部
１１２ｂ  回転盤
１１２ｃ、１２２  枢軸連結部
１１４、１２４  ハウジング
１２０    第２の回転部材
１２０ａ  第２の内部空間
１２０ｂ  間隙
１２６    遮板
１３０    第１の防水機構
１４０    第２の防水機構
Ａ１、Ａ２  軸線
Ｄ        方向
【図１】
0005323240.tif 000002
【図２】
0005323240.tif 000003
【図３】
0005323240.tif 000004
【図４】
0005323240.tif 000005
【図５】
0005323240.tif 000006
【図６】
0005323240.tif 000007
【図７】
0005323240.tif 000008